(57)【要約】【課題】ピックアップとスレッドモータを集中的に高密度に配置することにより再生装置内のスペースの有効活用と再生装置のコンパクト化と軽量化を図る。【解決手段】再生装置１００は、記録媒体を載置するシャーシ１０２と、該シャーシ１０２の略中央部に配置され記録媒体を回転させるスピンドルモータ１５０と、記録媒体のデータを再生するピックアップ１５１と、ピックアップ１５１を駆動させるピックアップ駆動機構１５２と、を備えている。スピンドルモータ１５０をシャーシ１０２の略中央部に配置すると共に、ピックアップ１５１及びピックアップ駆動機構１５２を、シャーシ１０２の略中央線より一方の側に配置した。【選択図】図５
2008130197.tif 000002
【特許請求の範囲】
【請求項１】
記録媒体を載置する載置台と、
上記載置台の略中央部に配置され、上記記録媒体を回転させるスピンドルモータと、
上記記録媒体のデータを再生するピックアップと、
上記ピックアップを駆動させる駆動機構と、
を備え、
上記ピックアップ及び上記駆動機構は、上記載置台の略中央線より一方の側に配置されている
ことを特徴とする再生装置。
【請求項２】
上記載置台は、
上記ピックアップ及び上記駆動機構が配置されている略矩形状部と、
上記略矩形状部の２辺の外側に位置する略Ｌ字状部と、
で構成されている
ことを特徴とする請求項１に記載の再生装置。
【請求項３】
上記略Ｌ字状部の全部または一部を削除した
ことを特徴とする請求項２に記載の再生装置。
【請求項４】
上記記録媒体を収納したカートリッジの高さ方向の位置決めを行う複数の位置決め部材を備え、
上記複数の位置決め部材は、上記載置台の中央線で略左右対称となる三角形の３つの頂点の位置に配置されている
ことを特徴とする請求項３に記載の再生装置。
【請求項５】
上記３つ位置決め部材のうちの２つの位置決め部材は、上記カートリッジの下面に形成されている２つの位置決め凹部に嵌合して、上記カートリッジの平面方向の位置決めを行う凸部を備えている
ことを特徴とする請求項４に記載の再生装置。
【発明の詳細な説明】
【技術分野】
【０００１】
本発明は、スピンドルモータと、ピックアップと、ピックアップ駆動機構と、を備えていて、上記スピンドルモータによってディスク状記録媒体を回転させながら該記録媒体の半径方向にピックアップをピックアップ駆動機構で移動させて上記記録媒体のデータを再生する再生装置に関するもので、特に、スピンドルモータとピックアップ及びピックアップ駆動機構の配置に工夫を凝らすことにより再生装置の軽量化と装置内のスペースの有効活用を図ったものである。
【背景技術】
【０００２】
上記再生装置として図２８〜図３１に示すものが知られている。図２８に示すように、上記再生装置３０１は、カートリッジホルダ３０２が載置台（以下、シャーシと称する）３０３に対して所定の傾斜角度で傾斜しているカートリッジ挿抜位置に在る状態において、カートリッジホルダ３０２にカートリッジ１を挿入した後に、図２９に示すように、カートリッジホルダ３０２を略水平状態に倒し、再生位置に移動させて、カートリッジ１内に収納されているディスク状記録媒体２のデータを再生する。
【０００３】
図３０に示すように、上記シャーシ３０３の略中央部には、上記記録媒体２を回転させるスピンドルモータ３０４が配置され、上記シャーシ３０３の中央線ＣＬを境にして一方の側（図３０の右側）の上面には、記録媒体２のデータを再生するピックアップ３０５が配置されている。また、上記シャーシ３０３の中央線ＣＬの他方の側（図３０の左側）の下面には、上記ピックアップ３０５を駆動させるスレッドモータ３０６が配置されている。
【０００４】
図３１に示すように上記スレッドモータ３０６の回転は、ギヤトレイン３０７を介してリードスクリュー３０８に伝達されてピックアップ３０５を走行させる。なお、図３０に示すように、上記ピックアップ３０５を設けたシャーシ３０３の一方の側にはイジェクトレバー３０９が軸３１０によって回動可能に取り付けられている。
【０００５】
イジェクトレバー３０９は、再生終了後、カートリッジホルダ３０２をカートリッジ挿抜位置に移動させた時にカートリッジ１をカートリッジホルダ３０２から排出させる。
【０００６】
イジェクトレバー３０９は、カートリッジ１をカートリッジホルダ３０２に挿入する前は、図２８に示す第２の位置に在る。カートリッジ１をカートリッジホルダ３０２に挿入すると、カートリッジ１の前面１ａで上記イジェクトレバー３０９の被押圧部３０９ａが押され、イジェクトレバー３０９は、軸３１０を中心にしてイジェクトばね（引張コイルばね）３１１のばね力に抗して時計方向に回動し、図２９に示す第１の位置においてイジェクトレバーロック部３１２に係合してロックされる。上記イジェクトレバー３０９がロックされた状態でカートリッジ１内のディスク状記録媒体２のデータの再生が行われる。
【０００７】
再生終了後に、カートリッジホルダ３０２を再生位置に回動させると、上記イジェクトレバーロック部３１２によるイジェクトレバー３０９のロックが解除されて、
イジェクトレバー３０９は、上記イジェクトばね３１１のばね力によって反時計方向に戻り回動し、上記第２の位置まで移動して上記カートリッジ１をカートリッジホルダ３０２から押し出す。（例えば、特許文献１参照）
【特許文献１】特開２００５−３２２３１８号公報
【発明の開示】
【発明が解決しようとする課題】
【０００８】
ところで、上記従来の再生装置においては、上述したように、上記シャーシ３０３の中央線ＣＬの一方の側に、記録媒体２のデータを再生するピックアップ３０５を配置し、他方の側に、スレッドモータ３０６を配置していた。このためピックアップ３０５やスレッドモータ３０６が広い範囲に分散されて配置された状態になっているために、シャーシ乃至再生装置をコンパクト化するのが困難であるという問題点があった。
【０００９】
本発明の目的は、ピックアップとスレッドモータ等の配置に工夫を凝らし、これらピックアップとスレッドモータを集中的に高密度に配置することにより再生装置内のスペースの有効活用と再生装置のコンパクト化と軽量化を可能にしたものである。
【課題を解決するための手段】
【００１０】
本発明は、記録媒体を載置するシャーシと、該シャーシの略中央部に配置され上記記録媒体を回転させるスピンドルモータと、上記記録媒体のデータを再生するピックアップと、上記ピックアップを駆動させるピックアップ駆動機構と、を備えた再生装置において、
上記スピンドルモータを、上記シャーシの略中央部に配置すると共に、上記ピックアップ及び上記ピックアップ駆動機構を、上記シャーシの略中央線より一方の側に配置した。
【発明の効果】
【００１１】
上記シャーシの略中央線より他方の側の上記ピックアップ及び上記ピックアップ駆動機構が配置されていない空きスペース部分を利用してセット基板を配置したり、補強部材を配置することを可能にし、或いは、上記空きスペース部分を削除することにより再生装置の軽量化と、より一層のコンパクト化を図ることができる。
【発明を実施するための最良の形態】
【００１２】
以下、本発明を、（１）再生装置全体の概略構成、（２）シャーシの構成、（３）スピンドルモータの構成、（４）ピックアップの構成、（５）スレッドモータの構成、（６）ギヤトレインの構成、（７）イジェクトレバーの構成、（８）イジェクトレバーロック解除部材の構成、（９）カートリッジホルダの構成、（１０）カートリッジの構成、（１１）作用および効果、の順に説明する。
【００１３】
（１）再生装置全体の概略構成
図１はカートリッジホルダ１０１がカートリッジ挿抜位置に在る状態の再生装置１００の斜視図、図２はカートリッジホルダ１０１にカートリッジ１を収納した状態の再生装置の斜視図、図３はカートリッジホルダ１０１が再生位置に在る状態の再生装置の斜視図、図４はシャーシ部分の平面図、図５はシャーシ部分の底面図、図６は分解斜視図である。
【００１４】
再生装置１００は、カートリッジ１を挿入、保持するカートリッジホルダ１０１と、カートリッジホルダ１０１をカートリッジ挿抜位置と再生位置の相互間で移動可能に支持している載置台（以下、シャーシ）１０２と、シャーシ１０２の略中央部に配置されていて上記カートリッジ１内に収納されているディスク状の記録媒体２を回転させるスピンドルモータ１５０と、上記記録媒体のデータを再生するピックアップ１５１と、該ピックアップ１５１を上記スピンドルモータ１５０にチャッキングされている記録媒体の半径方向に移動させるピックアップ駆動機構１５２と、を備えている。
【００１５】
図４に示すように、スピンドルモータ１５０は、シャーシ１０２の略中央部に配置されている。ピックアップ１５１及びピックアップ駆動機構１５２は、略全体がシャーシ１０２の略中央線ＣＬを境にして一方の側（図４の右側）に配置されている。
【００１６】
スピンドルモータ１５０は、シャーシ１０２の上面側に配置され、ピックアップ１５１は、シャーシ１０２に設けた切欠窓部１４４内に配置され、ピックアップ駆動機構１５２は、シャーシ１０２の下面側に配置されている。
【００１７】
図５に示すように、上記ピックアップ駆動機構１５２は、スレッドモータ１５３と、該スレッドモータ１５３の回転を上記ピックアップ１５１側に伝達するギヤトレイン１５４と、を備えている。上記ピックアップ駆動機構１５２は、スレッドモータ１５３でギヤトレイン１５４を介して上記ピックアップ１５１のリードスクリュー１８５を回転させることにより、ピックアップ１５１を走行させる。
【００１８】
図１に示すように、上記シャーシ１０２の上面側で、且つ上記スレッドモータ１５３の略真上に当たる部分にはイジェクトレバー１０４が軸部１０４ｉを中心に回動可能に設けられている。
【００１９】
図１および図７に示すように、カートリッジホルダ１０１がカートリッジ挿抜位置（カートリッジホルダ１０１がシャーシ１０２に対して所定の傾斜角度で傾斜している状態）に在り、且つイジェクトレバー１０４がカートリッジ排出位置（以下、第２の位置と称する）に在る状態において、カートリッジホルダ１０１にカートリッジ１を挿入すると、該カートリッジ１の前面でイジェクトレバー１０４の被押圧部１０４ｃが押されて、イジェクトレバー１０４は、軸部１０４ｉを中心にしてイジェクトばね１０５のばね力に抗して時計方向に回動する。
【００２０】
図２および図８に示すように、カートリッジ１をカートリッジホルダ１０１の所定の位置（収納位置）まで挿入すると、イジェクトレバー１０４の被ロック部１０４ｅがシャーシ１０２に設けたイジェクトレバーロック部１０８を乗り越えて、上記イジェクトレバーロック部１０８の一端部１０８ａに係合して、イジェクトレバー１０４は、戻り回動不能にロックされる。（以下、イジェクトレバー１０４がイジェクトレバーロック部１０８によってロックされた位置を第１の位置と称する。）
図８Ｄに示すように、上記イジェクトレバーロック部１０８の一端部１０８ａは、略垂直面になっていて上記イジェクトレバー１０４の被ロック部１０４ｅが確実に係合するようになっている。一方、上記イジェクトレバーロック部１０８の他端部１０８ｂは、傾斜面になっていて上記イジェクトレバー１０４の被ロック部１０４ｅが上記イジェクトレバーロック部１０８上を乗り越えるようになっている。
【００２１】
図３に示すように、カートリッジ１を挿入してカートリッジホルダ１０１を再生位置に移動させると、図９Ａに示すように、イジェクトレバーロック解除部材１０９のラチェト状係合部１０９ｂの外側面１０９ｃがイジェクトレバー１０４のロック解除部材係合部１０４ｆの先端部に接触して、イジェクトレバーロック解除部材１０９はアーム部１０９ａの部分で撓んで、ラチェット状係合部１０９ｂがロック解除部材係合部１０４ｆから逃げる方向に移動する。そして、ラチェット状係合部１０９ｂがロック解除部材係合部１０４ｆを通過すると、図９Ｂに示すように、ラチェット状係合部１０９ｂは、元の位置に復帰して、ロック解除部材係合部１０４ｆの下面側に侵入した状態になり、この状態で、光ディスクの記録再生が行われる。
【００２２】
記録再生終了後にカートリッジホルダ１０１を、カートリッジ挿抜位置に移動させると、図９Ｃに示すように、イジェクトレバーロック解除部材１０９のラチェット状係合部１０９ｂによってイジェクトレバー１０４が持ち上げられて、イジェクトレバーロック部１０８によるイジェクトレバー１０４の係合（ロック）が解除されて、イジェクトレバー１０４は、イジェクトばね１０５によって反時計方向に戻り回動して上記第２の位置まで移動して、カートリッジ１をカートリッジホルダ１０１から押し出す。イジェクトレバー１０４の戻り回動の途中で、イジェクトレバー１０４には、ダンパーばね１０６によって制動力を与えられて、イジェクトレバー１０４は、ゆっくりと回動してカートリッジ１をカートリッジホルダ１０１から押し出す。
【００２３】
（２）シャーシの構成
図６に示すように、シャーシ１０２は、金属板によって略四角形状に形成されている。上記シャーシ１０２の四隅部にはダンパ取付部１３１が設けられていて、これらダンパ取付部１３１には、ゴム製のダンパ１３２が取付けられている。上記シャーシ１０２の左右の側部には、上記カートリッジホルダ１０１の第１，第２の側面板１０１ｂ，１０１ｃの外側に位置する左右の側壁１３３，１３４が設けられている、これら左右の側壁１３３，１３４の一端側には、上記カートリッジホルダ１０１を回動可能に取付けるための一対の軸受部１３５，１３６が設けられていて、これら軸受部１３５，１３６に設けた軸１３７，１３８を上記カートリッジホルダ１０１の軸受孔１２３，１２４に挿入することにより上記カートリッジホルダ１０１をカートリッジ挿抜位置と再生位置の相互間で回動可能に支持している。
【００２４】
上述したように、上記シャーシ１０２の略中央部にはスピンドルモータ１５０が配置されている。また、上記シャーシの略中央線より一方の側にピックアップ１５１及びピックアップ駆動機構１５２を構成するスレッドモータ１５３とギヤトレイン１５４が配置されている。
【００２５】
スピンドルモータ１５０は、シャーシ１０２の上面側に取り付けられ、スレッドモータ１５３とギヤトレイン１５４は、シャーシ１０２の下面側に取り付けられている。シャーシ１０２の上面側で、スレッドモータ１５３の略真上に対応する位置にイジェクトレバー１０４が配置されている。
【００２６】
上記シャーシ１０２は、カートリッジホルダ１０１にカートリッジ１を挿入することにより上記第２の位置に移動したイジェクトレバー１０４をロックするイジェクトレバーロック部１０８が設けられている。イジェクトレバーロック部１０８は、シャーシ１０２の上面に長円形の凸部を設けることにより形成されている。図８Ｄに示すように、上記イジェクトレバーロック部１０８の一端部１０８ｂは、傾斜面になっていて上記イジェクトレバー１０４の被ロック部１０４ｅが上記イジェクトレバーロック部１０８上を乗り越えるようになっている。一方、上記イジェクトレバーロック部１０８の他端部１０８ａは、略垂直面になっていて上記イジェクトレバー１０４の被ロック部１０４ｅが確実に係合するようになっている。
【００２７】
上記イジェクトレバーロック部１０８は、上記イジェクトバネ１０５のバネ力に抗して上記イジェクトレバー１０４のベース部１０４ａをシャーシ１０２から浮き上がらせた状態にすると上記被ロック部１０４ｅとの係合を解除する。上記イジェクトレバーロック部１０８との係合が解除されたイジェクトレバー１０４は、イジェクトバネ１０５のバネ力で回動して、上記第２の位置に移動してカートリッジホルダ１０１からカートリッジ１を排出させる。
【００２８】
図８に示すように、イジェクトレバー１０４がイジェクトレバーロック部１０８にロックされた状態において、イジェクトレバー１０４の被押圧部１０４ｃの近傍が浮き上がるのを防止するイジェクトレバー浮き上がり防止部１３９がシャーシ１０２に設けられている。
【００２９】
また、図４に示すように、上記シャーシ１０２は、上面側の四隅部の近傍に、カートリッジ装着時においてカートリッジ１を載置する第１〜第４の高さ方向の位置決め部１４５〜１４８を備えている。
【００３０】
上記第１，第２の高さ方向の位置決め部１４５，１４６の中央部には、上記カートリッジホルダ１０１を再生位置に移動させたときに、上記カートリッジホルダ１０１の左右一対のカートリッジ支持部１０１ｄ，１０１ｅに設けた位置決めピン導入孔１２１（図１参照）を介して上記カートリッジ１の下面に形成されている２つの位置決め凹部５０に嵌合して、上記カートリッジ１の平面方向（Ｘ，Ｙ方向）の位置決めを行う凸部１４９を備えている。
【００３１】
（３）スピンドルモータの構成
図２１に示すように、上記スピンドルモータ１５１は、ステータ基板１６１に設けられた筒状の軸受部１６１ａと、該軸受部１６１ａの内周に取付けられた軸受１６２と、上記筒状の軸受部１６１ａを中央孔１６３内に挿入した状態で上記ステータ基板１６１上に載置された配線板１６４と、上記筒状の軸受部１６１ａの外周部に取付けられた鉄心コイル１６５と、上記軸受１６２に回転軸１６６の先端を挿入した状態で回転可能に取付けられたロータアッセンブリー１６７と、を備えている。上記ロータアッセンブリー１６７は、ロータ１６８と、該ロータ１６８にアウトサート成形された合成樹脂のターンテーブル１６９と、を備えている。
【００３２】
上記ロータ１６８の内面には上記鉄心コイル１６５と対を成すロータマグネット１７０が取付けられている。また、上記ディスクテーブル１６９にはディスク状記録媒体２のハブ２２をマグネットチャッキングするチャッキング用のマグネット１７１とディスク状記録媒体２のセンタリングを行うセンタリングバネ１７２が取付けられている。
【００３３】
図２２に分解して示すように、上記ロータアッセンブリー１６７は、金属製のロータ１６８と、該ロータ１６８にアウトサート成形された合成樹脂のディスクテーブル１６９と、からなっている。
【００３４】
上記ロータ１６８は、略円形状の天面部１６８ａと、該天面部１６８ａの外周部に所定の間隔１７３をもって配置される筒状のスカート部１６８ｂと、を備えている。上記筒状のスカート部１６８ｂの上端には、該上端を内側に略直角に折り曲げることにより、リング状のフランジ部１６８ｃが形成されている。
【００３５】
上記スカート部１６８ｂの上端の折曲部には、第１の樹脂導入孔１７４が形成されている。上記第１の樹脂導入孔１７４は、上記筒状のスカート部１６８ｂの周方向に所定の間隔をもって列設されている。
【００３６】
また、上記ディスクテーブル１６９は、上記ロータ１６８の外面側に位置するテーブル本体部１６９ａと、上記ロータ１６８の内面側に位置するロータ内面重合部１６９ｂと、を備えている。
【００３７】
上記ディスクテーブル１６９は、上記ロータ１６８の天面部１６８ａと筒状のスカート部１６８ｂを所定の間隔１７３をもって成形金型内に位置決めして配置したのち上記成形金型内に溶融樹脂を注入することによりアウトサート成形されている。そして、上記間隔１７３および第１の樹脂導入孔１７４によって、図２３に示すように、上記テーブル本体部１６９ａの内面と上記ロータ内面重合部１６９ｂの外面が結合されて、上記ロータ１６８と上記ディスクテーブル１６９の結合強化が図られる。なお、図２２に示すように、上記第１の樹脂導入孔１７４の周縁部の下端側は、外面側に凹部１７４ａを形成することにより、内面側を薄肉部１７４ａに形成している。これは、ディスクテーブル１６９をアウトサート成形する際に、樹脂の一部を上記凹部１７４ａ内に導入することにより、図２３に示すように、テーブル本体部１６９ａの上記凹部１７４ａに対応する部分１６９ｃの肉厚を厚くして、テーブル本体部１６９ａの強化を図ったものである。
【００３８】
（４）ピックアップの構成
図５に示すように、ピックアップ１５１は、対物レンズ駆動装置１８１と、該対物レンズ駆動装置１８１を上記ディスクテーブル１６９上にチャッキングされているディスク状記録媒体２の半径方向に移動させる移動台１８２と、を備えている。
【００３９】
上記移動台１８２は、第１の軸受部１８３と第２の軸受部１８４を備えている。上記第１の軸受部１８３には、リードスクリュー１８５が取付けられている。また、上記第２の軸受部１８４にはガイド部１８６が取付けられている。
【００４０】
上記リードスクリュー１８５は、上記シャーシ１０２の下面側において一対の軸受１８７によって回転可能に支持されている。また、上記ガイド部１８６は、アウトサート成形によりシャーシ１０２と一体に形成されている。
【００４１】
上記ピックアップ１５１は、上記リードスクリュー１８５を回転させることによって上記ターンテーブル１６９上の光ディスクの半径方向に移動して記録再生を行う。なお、ピックアップ１５１は、再生のみならず記録も可能になっている。
【００４２】
（５）スレッドモータの構成
図２４に示すように、上記スレッドモータ１５３は、モータ支持板としてのステータ基板１９１に取付けられていて、該ステータ基板１９１の外周部を上記シャーシ１０２の下面に重ね合わせてビス１５５等により上記シャーシ１０２の下面に垂下させた状態に取付けられている。
【００４３】
上記スレッドモータ１５３は、ステータ基板１９１に設けられた筒状の軸受部１９１ａと、該軸受部１９１ａの内周に取付けられた軸受１９２と、上記筒状の軸受部１９１ａを中央孔１９３内に挿入した状態で上記ステータ基板１９１上に載置された配線板１９４と、上記筒状の軸受部１９１の外周部に取付けられた鉄心コイル１９５と、上記軸受１９２に回転軸１９６を挿入した状態で回転可能に取付けられたロータ１９７と、を備えている。ロータ１９７の内面には上記鉄心コイル１９５と対をなすロータマグネット１９８が設けられている。上記ロータ１９７の底面には、第１のギヤ２０１が取り付けられていて、該第１のギヤ２０１の回転は、次に説明するギヤトレインを介してピックアップ側に伝達される。
【００４４】
（６）ギヤトレインの構成
ギヤトレイン１５４は、スレッドモータ１５３の回転をピックアップ側に伝達してピックアップを走行させる。図５に示すように、上記ギヤトレイン１５４は、上記スレッドモータ１５３のロータ１９７の底面に設けた第１のギヤ２０１に噛合している第２のギヤ２０２と、該第２のギヤ２０２の上面（シャーシ１０２と対向する面）にこれと同軸に形成された第３のギヤ２０３と、該第３のギヤ２０３に噛合している第４のギヤ２０４と、該第４のギヤ２０４に噛合している第５のギヤ２０５と、で構成されている。上記第５のギヤ２０５は、上記ピックアップ１５２のリードスクリュー１８５の端部に取付けられている。
【００４５】
上記第１，第２のギヤ２０１，２０２には平板状のギヤ（平歯車）が用いられている。上記第３のギヤ２０３にはウォームギヤが用いられている。上記第４のギヤ２０４には軸状のウォームギヤが用いられている。上記第５のギヤ２０５にはウォームギヤが用いられている。
【００４６】
上記第４のギヤ２０４は、長さ方向の中央部を境にして一端側２０４ａと他端側２０４ｂが逆ネジに形成されていて、上記一端部２０４ａに上記第３のギヤ２０３が噛合し、他端部２０４ｂに上記第５のギヤ２０５が噛合している。
【００４７】
図６に示すように、上記第４のギヤ２０４の他端側２０４ｂの径は、一端側２０４ａの径よりも若干太めに形成されていて、一端側２０４ａのギヤ数（歯数）よりも他端側２０４ｂのギヤ数（歯数）を多くして一端側２０４ａと他端側２０４ｂの減速比を変えている。その理由は、本発明の要旨であるピックアップ１５１及びピックアップ駆動機構１５２をシャーシ１０２の略中央線ＣＬよりも一方の側に配置し易くするためである。即ち、従来は、図３０に示すように、シャーシ３０３の略中央線ＣＬよりも一方の側にピックアップ３０５を配置し、他方の側にスレッドモータ３０６を配置していたので、スレッドモータ３０６やギヤトレイン３０７を配置するための配置スペースを十分に取ることができ、従って、ギヤトレイン３０７を構成する第１のギヤ３０７ａの径に対して、第２のギヤ３０７ｂの直径をより大きくして、減速比を大きくすることができる。上記従来例に対して、本発明は、ピックアップ１５１とピックアップ駆動機構１５２を同じ側に配置するために、これらを高密度で配置しなければならなくなる。このため、上記従来の第１のギヤ３０７ａに相当する第１のギヤ２０１よりも上記従来の第２のギヤ３０７ｂに相当する第２のギヤ２０２の直径を大きくすると、該第２のギヤ２０２が上記中央線ＣＬを超えて他の側に侵入する虞がある。このため第２のギヤ２０２の直径を出来るだけ小さくするのが望ましい。
【００４８】
そこで、上述したように、上記第４のギヤ２０４の一端側２０４ａの径よりも他端側２０４ｂの径を若干太めに形成し、一端側２０４ａのギヤ数（歯数）よりも他端側２０４ｂのギヤ数（歯数）を多くすることにより、上記第１のギヤ２０１と第２のギヤ２０２の減速比が上記従来のギヤトレインの場合と略同じになるように補償したものである。
【００４９】
（７）イジェクトレバーの構成
イジェクトレバー１０４は、再生終了後に第１の位置から第２の位置に移動してカートリッジ１をカートリッジホルダ１０１から排出させる。
【００５０】
図１０に示すように、イジェクトレバー１０４は、カートリッジホルダ１０１内に収納されたカートリッジ１の前面とシャーシ１０２の上面およびカートリッジホルダ１０１の下面で構成される空間、所謂デッドスペース内に配置されている。
【００５１】
イジェクトレバー１０４は、カートリッジ１をカートリッジホルダ１０１に挿入する前は、上記第２の位置に在る。そして、カートリッジ１をカートリッジホルダ１０１に挿入すると、カートリッジ１の前面で押されてイジェクトバネ１０５のバネ力に抗して回動して上記第１の位置に移動し、上記シャーシ１０２に設けたイジェクトレバーロック部１０８により戻り回動不可能にロック（係止）される。
【００５２】
再生終了後に、カートリッジホルダ１０１をカートリッジ挿抜位置に移動させると、イジェクトレバー１０４は、後に説明するイジェクトレバーロック解除部１０９によってイジェクトレバーロック部１０８によるロックを解除されてイジェクトバネ１０５のバネ力により戻り回動して上記第２の位置まで移動して、カートリッジホルダ１０１からカートリッジ１を排出させる。
【００５３】
図６に示すように、上記イジェクトレバー１０４は、上記シャーシ１０２の上面に重ね合わせる略Ｌ字状のベース部（平板状主部）１０４ａと、該ベース部１０４ａの一端側にアーム部１０４ｂを介して設けられていてカートリッジ１の前面で押圧される被押圧部１０４ｃと、上記ベース部１０４ａの中央部に設けられた軸受孔１０４ｄと、上記ベース部１０４ａの他端側に設けられていてカートリッジ１がカートリッジホルダ１０１内に完全に収納された状態において上記イジェクトレバーロック部１０８に係合する被ロック部１０４ｅと、該被ロック部１０４ｅの近傍の上方位置に設けられていてカートリッジ１をカートリッジ挿抜位置から再生位置に移動させるときに上記カートリッジホルダ１０１に設けたイジェクトレバーロック解除部１０９が係合するロック解除部材係合部１０４ｆと、上記アーム部１０４ｂの被押圧部１０４ｃと反対側の端部に設けられた第１のイジェクトバネ係止部１０４ｇと、上記ベース部１０４ａの中央部に設けられていてイジェクトレバー１０４が所定の角度回動したときに後に説明するダンパーバネ１０６の端部１０６ｂに接触するダンパーバネ接触部１０４ｈを備えている。
【００５４】
上記イジェクトレバー１０４は、ベース部１０４ａの中央部が軸１０４ｉにより回動可能に、且つベース部１０４ａおよび被ロック部１０４ｅを上記シャーシ１０２の上面から若干浮き上がらせることが可能に上記シャーシ１０２の上面に取付けられている。
【００５５】
上記イジェクトバネ１０５には、引張コイルバネが用いられている。上記イジェクトバネ１０５は、一端部１０５ａが上記イジェクトレバー１０４に設けた第１のイジェクトバネ係止部１０４ｇに係止され、他端部１０５ｂが上記シャーシ１０２の上面に設けた第２のイジェクトバネ係止部１０２ａに係止されていて、上記イジェクトレバー１０４にカートリッジ排出方向の回動力を付与していると共に、上記イジェクトレバー１０４のベース部１０４ａをシャーシ１０２の上面に押し付ける力を付与している。第１のイジェクトバネ係止部１０４ｇと第２のイジェクトバネ係止部１０２ａを結ぶ線を延長させた位置の近傍に上記イジェクトレバーロック部１０８が配置されている。
【００５６】
上記ダンパーバネ１０６は、イジェクトレバー１０４がイジェクトバネ１０５のバネ力によって所定の角度戻り回動したときに、イジェクトレバー１０４に制動力を付与してイジェクトレバー１０４の回動スピードを緩めることによりカートリッジ１がカートリッジホルダ１０１から脱落するのを防止するものである。上記ダンパーバネ１０６には、捻りコイルバネが用いられている。
【００５７】
上記ダンパーバネ１０６は、上記軸部１０４ｉの外周に取付けられていて、一端部１０６ａがシャーシ１０２に設けたダンパーバネ係止部１０２ｂに係止されている。上記ダンパーバネ１０６の他端部１０６ｂは、シャーシ１０２に設けたダンパーバネ端部受け溝１０２ｃに挿入されている。
【００５８】
図８Ｂに示すように、イジェクトレバー１０４がイジェクトレバーロック部１０８にロックされている状態において、ダンパーバネ１０６の他端部１０６ｂは、上記受け溝１０２ｃの端部に当接している。そして、上記イジェクトレバー１０４がイジェクトバネ１０５のバネ力によってカートリッジを排出する方向に角度戻り回動したときに、図７Ｂに示すように、上記イジェクトレバー１０４のダンパーバネ接触部１０４ｈが上記ダンパーバネ１０６の他端部１０６ｂに接触して該ダンパーバネ１０６が捩られて上記イジェクトバネ１０５のバネ力と逆方向のバネ力を上記ダンパーバネ１０６に発生させてイジェクトレバー１０４に制動力を付与する。
【００５９】
イジェクトレバー１０４は、上述のような構成であって、図１に示すように、カートリッジ挿抜位置において上記カートリッジホルダ１０１にカートリッジ１を挿入した場合に、カートリッジ１の前面で上記被押圧部１０４ｃが押されてイジェクトバネ１０５のバネ力に抗して回動し、カートリッジ１がカートリッジホルダ１０１に完全に収納された状態になると、図２に示すように、イジェクトレバー１０４は、平面状主部１０４ａの外側面の被ロック部１０４ｅがイジェクトレバーロック部１０８に係合して戻り回動不可能に係止され、図３に示すように、上記カートリッジホルダ１０１を再生位置に移動させた場合でも上記カートリッジホルダ１０１を戻り回動不可能に維持する。
【００６０】
そして、再生終了後に、上記カートリッジホルダ１０１を再生位置からカートリッジ挿抜位置に回動させると、次に説明するイジェクトレバーロック解除部１０９によりイジェクトレバー１０４のロックを解除する。従って、上記イジェクトレバー１０４は、イジェクトバネ１０５のバネ力により戻り回動して上記第２の位置に移動してカートリッジ１をカートリッジホルダ１０１から排出させる。このとき、上記ダンパーバネ１０６によってイジェクトレバー１０４の戻り回動を緩やかにしてカートリッジ１が押し出される際に勢いが余ってカートリッジホルダ１０１から脱落するのを防止する。
【００６１】
（８）イジェクトレバーロック解除部の構成
イジェクトレバーロック解除部１０９は、上記カートリッジホルダ１０２を再生位置からカートリッジ挿抜位置に回動させた時に、上記イジェクトレバーロック部１０８によるイジェクトレバー１０４の係止を解除して、イジェクトレバー１０４をイジェクトバネのバネ力で戻り回動させてカートリッジ１をカートリッジホルダ１０１から排出させるものであり、その機能からラチェット部材とも称されている。
【００６２】
図７〜図９に示すように、上記イジェクトレバーロック解除部１０９は、上記カートリッジホルダ１０１に設けられていて、カートリッジホルダ１０１をカートリッジ挿抜位置から再生位置に移動させる途中で上記イジェクトレバー１０４に設けたロック解除部材係合部１０４ｆの下面側に係合するようになっている。そして、カートリッジホルダ１０１を再生位置からカートリッジ挿抜位置に移動させるときに上記ロック解除部材係合部１０４ｆを介して上記ベース部１０４ａおよび被ロック部１０４ｅを上記シャーシ１０２の上面から若干浮き上がらせて、上記被ロック部１０４ｅと上記イジェクトレバーロック部１０８の係合を解除する。
【００６３】
図９Ａ〜図９Ｃに示すように、上記イジェクトレバーロック解除部１０９は、弾性（可撓性）を有するアーム部１０９ａと、該アーム部１０９ａの先端部を該アーム部１０９ａに対して鋭角状に折り曲げることにより形成された爪片１０９ｂと、を備えている。
【００６４】
上記イジェクトレバーロック解除部１０９は、カートリッジホルダ１０１をカートリッジ挿抜位置から再生位置に移動させる途中で上記爪片１０９ｂの傾斜面１０９ｃが上記ロック解除部材係合部１０４ｆの側面に接触して逃げ移動し、上記爪片１０９ｂの傾斜面１０９ｃと上記ロック解除部材係合部１０４ｆの側面との係合が外れると、上記爪片１０９ｂが元の位置に復帰して上記爪片１０９ｂの先端部１０９ｄが上記ロック解除部材係合部１０４ｆの下面側に入り込む。
【００６５】
上記イジェクトレバーロック解除部１０９は、カートリッジホルダ１０１の一部を切り起こすことにより、或いはカートリッジホルダ１０１と別個に形成したものをカートリッジホルダ１０１に取付けることにより構成されている。
【００６６】
次に、上記イジェクトレバーロック解除部の作用について説明する。図１に示すように、カートリッジ挿抜位置に在るカートリッジホルダ１０１にカートリッジ１を挿入すると、上述したように、カートリッジ１の前面でイジェクトレバー１０４の一端部に設けた被押圧部１０４ｃが押圧されて、上記イジェクトレバー１０４はイジェクトバネ１０４のバネ力に抗して回動して、イジェクトレバー１０４の他端部に設けた被ロック部１０４ｅがシャーシ１０２に設けたイジェクトレバーロック部１０８が係合して戻り回動不可能に係止される。この状態において、上記イジェクトレバー１０４の被ロック部１０４ｅの近傍に設けられたロック解除部材係合部１０４ｆは、図８Ｃに示すように、上記カートリッジホルダ１０１に設けたイジェクトレバーロック解除部１０９の略真下に位置している。
【００６７】
次に、上記カートリッジホルダ１０１を再生位置に向けて回動させると、図９Ａに示すように、上記イジェクトレバーロック解除部１０９の爪部１０９ｂの傾斜面１０９ｃが上記イジェクトレバー１０４のロック解除部材係合部１０４ｆの側面に接触して押されて上記アーム部１０９ａが撓んで、上記爪部１０９ｂが上記ロック解除部材係合部１０４ｆの側面から逃げる方向に移動する。
【００６８】
そして、上記カートリッジホルダ１０２が再生位置の近傍まで移動して来ると、上記爪部１０９ｂの傾斜面１０９ｃと上記ロック解除部材係合部１０４ｆの側面の係合が外れて、図９Ｂに示すように、上記爪部１０９ｂは、上記アーム部１０９ａの弾性により戻り移動して、上記爪部１０９ｂの先端部１０９ｄが上記ロック解除部材係合部１０４ｆの下面に侵入した状態になる。この状態でディスクの再生が行われる。
【００６９】
再生終了後に、上記カートリッジホルダ１０１をカートリッジ挿抜位置に向けて回動させると、図９Ｃに示すように、上記イジェクトレバーロック解除部１０９の爪部１０９ｂの先端部１０９ｄが上記ロック解除部材係合部１０４ｆの下面に係合して、該ロック解除部材係合部１０４ｆを介してベース部１０４ａが持ち上げられて、図１０に示すように、上記イジェクトレバー１０４の被ロック部１０４ｅと上記シャーシ１０２に設けたイジェクトレバーロック部１０８が係止が解除され、イジェクトレバー１０４は、イジェクトバネ１０５のバネ力により回動して、カートリッジ１をカートリッジホルダ１０２から押し出す。
【００７０】
（９）カートリッジホルダの構成
図６に示すように、上記カートリッジホルダ１０１は、略正方形状の上面板（天面板）１０１ａと、該上面板１０１ａの左右両側部を下方に向けて略直角に折り曲げることにより形成された左右の側面板（以下、第１，第２の側面板と称する）１０１ｂ，１０１ｃと、これら第１，第２の側面板１０１ｂ，１０１ｃの下端を内側に向けて略直角に折り曲げることにより形成されていて挿入されたカートリッジ１の下面の左右両側部を支持する左右一対の第１、第２カートリッジ支持部１０１ｄ，１０１ｅおよび第２カートリッジ支持部１０１ｅよりも奥側に所定の間隔をもって設けられている舌片状の第３，第４カートリッジ支持部１０１ｆ，１０１ｇと、第１、第２カートリッジ支持部１０１ｄ，１０１ｅの前縁を下方に向けて折り曲げることにより形成された受け面部１０１ｈ，１０１ｉと、を備えている。そして、これら上面板１０１ａ、第１，第２の側面板１０１ｂ，１０１ｃ、左右一対のカートリッジ支持部１０１ｄ，１０１ｅ等によってカートリッジ１の挿入口１０１ｎおよび挿入口１０１ｎに連なる収納部１０１ｐが形成されている。
【００７１】
上記カートリッジジェクト機構１０７が配置されている空間の上部に位置する上記カートリッジ１の上面板１０１ａの位置に上記イジェクトレバーロック解除部１０９が設けられている。
【００７２】
上記イジェクトレバーロック解除部１０９は、上記カートリッジ１の上面板１０１ａの一部を切り起こすことにより形成されている。上記上面板１０１ａの中央部には軽量化等を図るために亀甲形の開口部１１１が打ち抜き形成されている。上記上面板１０１ａの開口部１１１の左右両側部にはカートリッジ挿入方向と略平行に左右一対の第１，第２の板バネ１１２，１１３が上記上面板１０１ａの一部を切り起こすことにより形成されている。これら第１，第２の板バネ１１２，１１３は、先端の自由端側が上記収納部１０１ｐ内に入り込むように屈曲されていて、上記収納部１０１ｐ内に挿入されたカートリッジ１の上面を押圧して該カートリッジ１を上記第１〜第４カートリッジ支持部１０１ｄ〜１０１ｇに押し付ける。
【００７３】
また、上記上面板１０１ａの開口部１１１よりも前端側（挿抜口１０１ｎ側）には、中央部からカートリッジ挿入方向と略直交する方向に向かって伸びる左右一対の第１，第２の板バネ１１４，１１５が上記上面板１０１ａの一部を切り起こすことにより形成されている。
【００７４】
図１３に拡大して示すように、第３，第４の板バネ１１４，１１５は、細長い板状のキャビネット蓋ポップアップ用のバネ部（以下、ポップアップバネと称する）１１６と、該ポップアップバネ１１６の一側部から分岐されてポップアップバネ１１６と平行に伸びる細長い板状のカートリッジ押え用のバネ部１１７（以下、カートリッジ押えバネと称する）と、を備えている。ポップアップバネ１１６の幅Ｗ１は、カートリッジ押えバネ１１７の幅Ｗ２よりも幅広に形成されている。
【００７５】
ポップアップバネ１１６は、長さ方向に伸びる刳り貫き部１１８によって所謂枠状に形成されていると共に、刳り貫き部１１８には梁部１１９が設けられている。梁部１１９は、カートリッジ押えバネ１１７の付根部分、即ちポップアップバネ１１６からカートリッジ押えバネ１１７が分岐されている部分の近傍に設けられている。
【００７６】
ポップアップバネ１１６の付根部１１６ａやカートリッジ押えバネ１１７の付根部１１７ａ或いは刳り貫き部１１８の端部１１８ａは、アール状に形成されて、これらポップアップバネ１１６やカートリッジ押えバネ１１７が撓んだときの応力が１箇所に集中するのを防止している。また、図１４に示すように、ポップアップバネ１１６は、付根部１１６ａにおいて緩やかなアールによって折り曲げられていてポップアップバネ１１６が撓んだときに応力が１箇所に集中するのを防止している。また、カートリッジ押えバネ１１７は、ポップアップバネ１１６の途中から上面板１０１ａに対して略平行或いはポップアップバネ１１６と平行に伸びている。
【００７７】
図１５、図１６に示すように、ポップアップバネ１１６の先端部１１６ｂは、カートリッジホルダ１０１を再生位置とカートリッジ挿抜位置の間で回動移動させるキャビネット蓋１１０の内面１１０ａに接触するようになっている。
【００７８】
カートリッジホルダ１０１内にカートリッジ１を挿入してキャビネット蓋１１０を閉じると、図３に示すように、カートリッジホルダ１０１は、再生位置に移動する。そして、図１７に示すように、キャビネット蓋１１０の内面１１０ａでポップアップバネ１１６の先端部１１６ｂが押されてポップアップバネ１１６がカートリッジ１側に撓む。ポップアップバネ１１６が撓むと、ポップアップバネ１１６の一側部から分岐されているカートリッジ押えバネ１１７の先端部１１７ａがカートリッジ１の上面に接触してカートリッジ１をカートリッジホルダ１０１のカートリッジ支持部に押し付ける。このとき、カートリッジ押えバネ１１７の反力により、ポップアップバネ１１６には捻れ方向の力が作用するが、ポップアップバネ１１６に設けた梁部１１９等によって、捻れ方向の力はポップアップバネ１１６の全域に分散されて、ポップアップバネ１１６が捻れ方向に塑性変形するのが阻止される。
【００７９】
上述のように、第１，第２の板バネ１１２，１１３の先端部と、第３，第４の板バネ１１４，１１５のポップアップバネ１１６及びカートリッジ押えバネ１１７のバネ力でカートリッジ１を第１〜第４カートリッジ支持部１０１ｄ〜１０１ｇに押し付けた状態で記録再生が行われる。記録再生終了後にキャビネット蓋１１０を開くとカートリッジホルダ１０１は、カートリッジ挿抜位置に回動移動する。そして、図１５に示すように、ポップアップバネ１１６によりカートリッジホルダ１０１とキャビネット蓋１１０との間に所定のクリアランスＣを形成して、キャビネット蓋１１０の前面板１１０ｂによるカートリッジホルダ１０１のカートリッジ挿抜口１０１ｎの閉塞を解除して、カートリッジ挿抜口１０１ｎを開放する。
【００８０】
図１に示すように、カートリッジホルダ１０１の第１の側面板１０１ｂには上記イジェクトバネ１０５によるカートリッジ１の排出に制動力を付与して上記カートリッジ１がカートリッジホルダ１０１から脱落するのを阻止するカートリッジ脱落防止部材２１１が切り起こし形成されている。上記カートリッジ脱落防止部材２１１は、カートリッジホルダ１０２のカートリッジ挿抜口１０１ｎ側に向かって伸びる弾性片部２１２と、該弾性片部２１２の先端部に設けられていてカートリッジ排出時にカートリッジ１の第１の側面１ｂに摺接する凸部２１３と、で構成されている。上記凸部２１３は、カートリッジ１のカートリッジホルダ１０１内への収納完了時においては、カートリッジ１の第１の側面１ｂに設けた第１の側圧解除用の凹部４１内に嵌合して、上記第１の側面１ｂに対して非接触状態になって側圧を解除する。
【００８１】
また、図１８に示すように、上記カートリッジホルダ１０１の第２の側面板１０１ｃのカートリッジ挿抜口１０１ｎ側の端部には、カートリッジ収納部１０１ｐ内に突出するカートリッジ挿入ガイド用の凸部２１４が設けられている。上記カートリッジ挿入ガイド用の凸部２１４は、上記カートリッジホルダ１０１の第２の側面板１０１ｃの厚み方向の略中央部に切り起こし形成されている。
【００８２】
カートリッジ挿入ガイド用の凸部２１４は、図１８に示すように、カートリッジ１を正規の姿勢でカートリッジホルダ１０１に挿入した場合に、カートリッジ１の第２の側面１ｃに設けたガイド溝４２内に導入される。そして、カートリッジ１が所定の位置まで挿入されると、カートリッジ挿入ガイド用の凸部２１４は、ガイド溝４２の先端部に連続して設けられた第２の側圧解除用の凹部４３内に位置してカートリッジ１と非接触状態になる。
【００８３】
カートリッジ挿入ガイド用の凸部２１４は、カートリッジ１をカートリッジホルダ１０１内に挿入する際に、カートリッジ１の挿入をガイドすると共に、図１９に示すように、カートリッジ１の記録再生用開口部３４にカートリッジホルダ１０１の第２カートリッジ支持部１０１ｅの端部１０１ｔや第３カートリッジ支持部１０１ｆ等が侵入して、これら第２カートリッジ支持部１０１ｅ等によりディスク状記録媒体の情報記録面がダメージを受けるのを防止する。
【００８４】
即ち、カートリッジ１がシャッターレスタイプのものである場合には、記録再生用開口部３４が常に開放された状態になっているために、カートリッジ１をカートリッジホルダ１０１内に挿入する際などにおいて、カートリッジ１に何等かの理由で強い押し下げ力が加わった場合に、記録再生用開口部３４にカートリッジホルダ１０１の第２カートリッジ支持部１０１ｅの端部１０１ｔや第３カートリッジ支持部１０１ｆ等が侵入して、これら第２カートリッジ支持部１０１ｅの端部１０１ｔ等によりディスク状記録媒体の情報記録面が傷付けられたり、或いはカートリッジ１内のディスク状記録媒体の外周面が第２カートリッジ支持部１０１ｅに乗り上げたりする虞がある。カートリッジ挿入ガイド用の凸部２１４は、ガイド溝４２の上面４２ａに接触し、カートリッジ１の厚さ方向への動きを規制して、記録再生用開口部３４にカートリッジホルダ１０１の第２カートリッジ支持部１０１ｅの端部１０１ｔや第３カートリッジ支持部１０１ｆ等が侵入して、第２カートリッジ支持部１０１ｅの端部１０１ｔ等によりディスク状記録媒体の情報記録面が傷付けられたり、ディスク状記録媒体の外周面が第３のカートリッジ支持部１０１ｆに乗り上げたりするのを防止する。
【００８５】
また、カートリッジ挿入ガイド用の凸部２１４は、カートリッジ１の誤挿入を防止する誤挿入防止部材としても作用する。即ち、カートリッジ１を表裏逆に挿入した場合にはカートリッジ挿入ガイド用の凸部２１４がカートリッジ１の側面に当接してカートリッジ１の更なる挿入を阻止する。また、カートリッジ１を前後逆に挿入した場合には、カートリッジ挿入ガイド用の凸部２１４がカートリッジ１の第１の側圧解除溝４１の端面４１ａに当接してカートリッジ１の更なる挿入を阻止する。なお、上記カートリッジ挿入ガイド用の凸部２１４を設けない場合には、図６に示した、第３のカートリッジ支持部１０１ｆによりカートリッジ１の誤挿入を防止することも可能であるが、カートリッジ挿入ガイド用の凸部２１４は、第３のカートリッジ支持部１０１ｆよりもカートリッジ挿抜口１０１ｎに近い位置に設けられているので、カートリッジを誤挿入した場合に、より早い段階で更なるカートリッジの挿入を阻止することが出来る。
【００８６】
（１０）カートリッジの構成、
図１１はカートリッジ１を上ハーフ側から見た斜視図、図１２はカートリッジ１を下ハーフ側から見た斜視図である。
【００８７】
カートリッジ１は、ディスク状を記録媒体２を回転可能に収納している。上記カートリッジ１の底面には、上記記録媒体２の一部を外部に臨ませる記録再生用開口部３４を備えている。カートリッジ１は、記録再生用開口部３４を開閉するシャッタを具備しない所謂シャッタレスカートリッジとして構成されている。
【００８８】
図１２に示すように、上記記録媒体２は、ゲーム用のソフト等が記録された光ディスク２１の中央部にチャッキング用のハブ２２を取付けることにより構成されている。上記光ディスク２１は、直径５０mm程度の小径に形成されている。上記チャッキング用のハブ２２は、マグネットに吸引されるステンレス等の磁性金属により形成されている。
【００８９】
上記カートリッジ１は、上，下ハーフ３１，３２の周壁を突き合わせることにより形成されている。上記カートリッジ１は、前面１ａ（後に説明する再生装置への挿入端側の側面）が上記光ディスク２１と略同じ曲率半径の円弧状面（半円形状面）に形成され、上記前面１ａに連続する左右の側面１ｂ，１ｃは、互いに平行するフラット面に形成され、上記前面１ａに対向する後面１ｄは、上記左右の第１，第２の側面１ｂ，１ｃになだらかに連続する湾曲面に形成されている。
【００９０】
上記下ハーフ３２の中央部には、上記ディスク状記録媒体２のハブ２２を外部に臨ませる駆動用開口部３３が設けられている。また、上記駆動用開口部３３の近傍から上記第２の側面１ｃに亘って、上記ディスク状記録媒体２の光ディスク２１の情報記録面を外部に臨ませる記録再生用開口部３４が設けられている。
【００９１】
図１１に示すように、上記カートリッジ１は、第１の側面１ｂに、カートリッジ１のカートリッジホルダ１０２への収納完了時において、次に説明するカートリッジホルダ１０１の第１の側面板１０１ｂ（図１参照）に設けたカートリッジ脱落防止部材２１１の凸部２１３が嵌合して該凸部２１３を上記カートリッジ１の第１の側面１ｂに対して非接触状態にして上記カートリッジ脱落防止部材２１１によるカートリッジホルダ１０２への側圧を除去するための第１の側圧解除用の凹部４１を備えている。
【００９２】
また、図１２に示すように、上記カートリッジ１は、第２の側面１ｃに、カートリッジ１をカートリッジホルダ１０１へ挿入する際にカートリッジホルダ１０１の第２の側面板１０１ｃ（図１７参照）に設けたカートリッジ挿入ガイド用の凸部２１４が侵入して、カートリッジ１の挿入をガイドするガイド溝４２と、カートリッジホルダ１０１へのカートリッジ１の収納完了時において、上記カートリッジ挿入ガイド用の凸部２１４が嵌合して、該凸部２１４を上記カートリッジ１の第２の側面１ｃに対して非接触状態にして、上記カートリッジ挿入ガイド用の凸部２１４によるカートリッジホルダ１０１への側圧を除去するための第２の側圧解除用の凹部４３と、を備えている。
【００９３】
また、カートリッジ１の下面の後面１ｄ側に近傍には，上記シャーシ１０２に設けた上記第１，第２の第１，第２の高さ方向の位置決め部１４５，１４６の中央部に設けた凸部１４９が上記カートリッジホルダ１０１の左右一対のカートリッジ支持部１０１ｄ，１０１ｅに設けた位置決めピン導入孔１２１を介して嵌合して、カートリッジ１の平面方向（Ｘ，Ｙ方向）の位置決めを行う第１，第２の位置決め凹部５０、５１が設けられている。
【００９４】
上記記録媒体２のハブ２２は、上記駆動用開口部３３を介してスピンドルモータ１５０にマグネットチャッキングされる。また、上記記録再生用開口部３４を介して上記ディスク状記録媒体２の光ディスク２１に対してピックアップにより情報の再生が行われる。
（１１）作用および効果
実施例のスレッドモータおよび再生装置１００は、上述のような構成であって、図１５に示すように、上記キャビネット蓋１１０を開けばカートリッジホルダ１０１は、上記キャビネット蓋１１０に追従して回動して上記カートリッジ挿抜位置に移動する。上記カートリッジ挿抜位置において上記カートリッジホルダ１０１にカートリッジ１を挿入すれば、上述したように、カートリッジ１の前面１ａの中央部が上記イジェクトレバー１０４の被押圧部１０４ｃに当接し、該被押圧部１０４ｃを押圧する。
【００９５】
上記被押圧部１０４ｃが押圧されると、上記イジェクトレバー１０４は、上記イジェクトバネ１０５のバネ力に抗して回動し、カートリッジ１がカートリッジホルダ１０１内に完全に収納された状態になるとともに、上記イジェクトレバー１０４は、イジェクトレバーロック部１０８によって戻り回動不可能に係止された状態になる。
【００９６】
カートリッジ１をカートリッジホルダ１０１内に収納したのち、上記キャビネット蓋１１０を閉じればカートリッジホルダ１０１は、上記キャビネット蓋１１０に追従してカートリッジ挿抜位置から再生位置に移動する。
【００９７】
カートリッジホルダ１０１がカートリッジ挿抜位置から再生位置に移動する際には、図９Ａに示すように、上記イジェクトレバーロック解除部１０９の爪部１０９ｂの傾斜面１０９ｃに上記イジェクトレバー１０４のロック解除部材係合部１０４ｆの側面が接触して上記イジェクトレバーロック解除部１０９のアーム部１０９ａを撓ませて上記爪部１０９ｂを所謂逃げ方向に移動させる。上記傾斜面１０９ｃと上記ロック解除部材係合部１０４ｆの側面の接触が外れると、上記イジェクトレバーロック解除部１０９は、弾性復帰して、図９Ｂに示すように、上記爪部１０９ｂが上記ロック解除部材係合部１０４ｆの下面側に入り込んで該下面と係合可能な状態になる。
【００９８】
再生終了後に上記キャビネット蓋１１０を開けばカートリッジホルダ１０１は、上記キャビネット蓋１１０に追従して回動して上記カートリッジ挿抜位置に移動する。
上記カートリッジホルダ１０１がカートリッジ挿抜位置から再生位置に移動する際には、図９Ｃに示すように、上記イジェクトレバーロック解除部１０９の爪部１０９ｂによって上記イジェクトレバー１０４のロック解除部材係合部１０４ｆが持ち上げられて、上記イジェクトレバーロック部１０８による上記イジェクトレバー１０４の係止が解除されて、上記イジェクトレバー１０４は、イジェクトバネ１０５のバネ力で回動して、カートリッジ１をカートリッジホルダ１０１から押し出す。
【００９９】
実施例の再生装置１０１は、スピンドルモータ１５０を、シャーシ１０２の略中央部に配置すると共に、ピックアップ１０４及びピックアップ駆動機構１０５を、上記シャーシ１０２の略中央線ＣＬより一方の側に集中配置したので、図２５に斜線で示すように、シャーシ１０２の裏面側に第１，第２の空きスペース部分Ｓ１、Ｓ２を生じさせて、これら第１，第２の空きスペース部分Ｓ１、Ｓ２にセット基板を配置したり、補強部材等を配置することが可能になる。
【０１００】
特に、上記第２の空きスペース部分Ｓ２は、シャーシ１０２の表面側においても空きスペースになっているので、図２６に示すように、上記第２の空きスペース部分Ｓ２を削除して、シャーシ乃至再生装置の軽量化を図ることができる。
【０１０１】
この場合には、図２７に示すように、上記シャーシ１０２の中央線で略左右対称となる三角形の３つの頂点の位置にカートリッジ１の高さ方向の位置決めを行う第１〜第３の位置決め部材１４５〜１４７を配置し、これら第１〜第３の位置決め部材１４５〜１４７のうち第１，第２の位置決め部材１４５、１４６の中央部には、、上記カートリッジの下面に形成されている第１，第２の位置決め凹部５０に嵌合して、上記カートリッジの平面方向の位置決めを行う凸部１４９を設けてもよい。
【図面の簡単な説明】
【０１０２】
【図１】ホルダが挿抜位置に在る再生装置の斜視図。
【図２】ホルダにカートリッジを挿入した再生装置の斜視図。
【図３】ホルダが再生位置に在る再生装置の斜視図。
【図４】シャーシ部分の平面図。
【図５】シャーシ部分の底面図。
【図６】再生装置の分解斜視図。
【図７】Ａはロックが解除されている状態のイジェクトレバー部分の斜視図、Ｂは同平面図、Ｃは同側面図。
【図８】Ａはロックされている状態のイジェクトレバー部分の斜視図、Ｂは同平面図、Ｃは同側面図、Ｄはイジェクトレバーロック部の断面図。
【図９】Ａはイジェクトレバーロック解除部材がロック解除部材係合部に係合した状態の側面図、Ｂはイジェクトレバーロック解除部材とロック解除部材係合部の係合が解除された状態の側面図、Ｃはイジェクトレバーロック解除部材によりロック解除部材係合部が持ち上げられた状態の側面図。
【図１０】Ａはロックが解除されてイジェクトレバーが僅かに戻り回動した状態の斜視図、Ｂは同平面図。
【図１１】カートリッジの斜視図。
【図１２】カートリッジを底面側から見た斜視図。
【図１３】ポップアップバネ部分の拡大図。
【図１４】図１３のＡ−Ａ断面図。
【図１５】ポップアップバネによってキャビネット蓋が押し上げられている状態の側面図。
【図１６】ポップアップバネによってキャビネット蓋が押し上げられている状態の正面図。
【図１７】キャビネット蓋が閉じられてポップアップバネが撓んだ状態の側面図。
【図１８】カートリッジ挿入ガイド用の凸部を設けた第１の側面から見たカートリッジホルダの斜視図。
【図１９】カートリッジの挿入過程を示すカートリッジの底面図。
【図２０】カートリッジを収納した状態のカートリッジの底面図。
【図２１】スピンドルモータの断面図。
【図２２】スピンドルモータのロータとターンテーブルの要部の分解断面図。
【図２３】スピンドルモータのロータとターンテーブルの要部を組合せた状態の部分断面図。
【図２４】スレッドモータの断面図。
【図２５】効果を示す説明図。
【図２６】他の実施例の底面図。
【図２７】他の実施例の平面図。
【図２８】従来例の斜視図（ホルダが挿抜位置に在る状態）。
【図２９】従来例の斜視図（ホルダが再生位置に在る状態）。
【図３０】従来例のシャーシ部分の平面図。
【図３１】従来例のシャーシ部分の底面図。
【符号の説明】
【０１０３】
１…カートリッジ、５０，５１…平面方向の位置決め凹部、１００…再生装置、１０１…カートリッジホルダ、１０２…シャーシ、１４５〜１４８…第１〜第４の高さ位置基準面、１４９…平面方向の位置決め凸部、１５０…スピンドルモータ、１５１…ピックアップ、１５２…ピックアップ駆動機構、１５３…スレッドモータ、１５４…ギヤトレイン。
【図１】
2008130197.tif 000003
【図２】
2008130197.tif 000004
【図３】
2008130197.tif 000005
【図４】
2008130197.tif 000006
【図５】
2008130197.tif 000007
【図６】
2008130197.tif 000008
【図７】
2008130197.tif 000009
【図８】
2008130197.tif 000010
【図９】
2008130197.tif 000011
【図１０】
2008130197.tif 000012
【図１１】
2008130197.tif 000013
【図１２】
2008130197.tif 000014
【図１３】
2008130197.tif 000015
【図１４】
2008130197.tif 000016
【図１５】
2008130197.tif 000017
【図１６】
2008130197.tif 000018
【図１７】
2008130197.tif 000019
【図１８】
2008130197.tif 000020
【図１９】
2008130197.tif 000021
【図２０】
2008130197.tif 000022
【図２１】
2008130197.tif 000023
【図２２】
2008130197.tif 000024
【図２３】
2008130197.tif 000025
【図２４】
2008130197.tif 000026
【図２５】
2008130197.tif 000027
【図２６】
2008130197.tif 000028
【図２７】
2008130197.tif 000029
【図２８】
2008130197.tif 000030
【図２９】
2008130197.tif 000031
【図３０】
2008130197.tif 000032
【図３１】
2008130197.tif 000033